(57)【要約】【課題】  複数の１次元ＬＵＴからユーザの指示に応じた１次元ＬＵＴを参照して温黒調や冷黒調等のグレースケール画像の表現を好適に行うことができる画像処理装置及びその方法を提供する。【解決手段】  グレースケール画像の調色処理に使用する複数のルックアップテーブル４０〜４２を保持し、入力されたグレースケール画像に対するユーザの調色指示を受け付ける。当該調色指示に基づいて、保持されたテーブルから一のルックアップテーブルを選択し、そのルックアップテーブルを参照してグレースケール画像を調色する。そして、調色されたグレースケール画像を記録媒体に記録する記録装置に対して出力する。【選択図】  図４
2005286625.tif 000002
【特許請求の範囲】
【請求項１】
グレースケール画像を記録媒体に記録する記録装置に対して、グレースケール画像を調色して出力する画像処理装置であって、
グレースケール画像を入力する入力手段と、
前記グレースケール画像の調色処理に使用する複数のルックアップテーブルを保持するテーブル保持手段と、
前記グレースケール画像に対するユーザの調色指示を受け付ける受付手段と、
前記調色指示に基づいて、前記テーブル保持手段から一のルックアップテーブルを選択する選択手段と、
前記選択手段により選択された一のルックアップテーブルを参照して、前記入力手段により入力された前記グレースケール画像を調色する調色手段と、
前記調色手段により調色されたグレースケール画像を出力する出力手段と
を備えることを特徴とする画像処理装置。
【請求項２】
前記選択手段が、前記保持手段に保持された複数のルックアップテーブルの中から標準用ルックアップテーブルを選択し、
前記調色手段が、前記標準用ルックアップテーブルを参照して、前記入力手段により入力された前記グレースケール画像を標準のグレースケール画像に調色する
ことを特徴とする請求項１に記載の画像処理装置。
【請求項３】
前記選択手段が、前記保持手段に保持された複数のルックアップテーブルの中から温黒調用ルックアップテーブルを選択し、
前記調色手段が、前記温黒調用ルックアップテーブルを参照して、前記入力手段により入力された前記グレースケール画像を温黒調のグレースケール画像に調色する
ことを特徴とする請求項１に記載の画像処理装置。
【請求項４】
前記選択手段が、前記保持手段に保持された複数のルックアップテーブルの中から冷黒調用ルックアップテーブルを選択し、
前記調色手段が、前記冷黒調用ルックアップテーブルを参照して、前記入力手段により入力された前記グレースケール画像を冷黒調のグレースケール画像に調色する
ことを特徴とする請求項１に記載の画像処理装置。
【請求項５】
前記保持手段に保持された複数のルックアップテーブルのそれぞれに対応したラジオボタンを有するＧＵＩ画面をユーザに提示する提示手段をさらに備え、
前記受付手段が、前記ユーザによって指定された前記ＧＵＩ画面上の一のラジオボタンに対応したルックアップテーブルを用いた調色指示を前記グレースケール画像の調色指示として受け付ける
ことを特徴とする請求項１に記載の画像処理装置。
【請求項６】
前記調色指示に基づいて、前記テーブル保持手段に保持された複数のルックアップテーブルを用いて新たなルックアップテーブルを合成する合成手段をさらに備え、
前記調色手段が、前記選択手段により選択された一のルックアップテーブル又は前記合成手段により合成された新たなルックアップテーブルのいずれかを参照して、前記入力手段により入力された前記グレースケール画像を調色する
ことを特徴とする請求項１に記載の画像処理装置。
【請求項７】
グレースケール画像を記録媒体に記録する記録装置に対して、グレースケール画像を調色して出力する画像処理装置であって、
グレースケール画像を入力する入力手段と、
前記グレースケール画像の調色処理に使用する複数のルックアップテーブルを保持するテーブル保持手段と、
前記グレースケール画像に対するユーザの調色指示を受け付ける受付手段と、
前記調色指示に基づいて、前記テーブル保持手段に保持された前記複数のルックアップテーブルを用いて新たなルックアップテーブルを合成する合成手段と、
前記合成手段により合成された新たなルックアップテーブルを参照して、前記入力手段により入力された前記グレースケール画像を調色する調色手段と、
前記調色手段により調色されたグレースケール画像を出力する出力手段と
を備えることを特徴とする画像処理装置。
【請求項８】
前記保持手段に保持された複数のルックアップテーブルのうち２つのルックアップテーブルの使用割合を設定する設定手段をさらに備え、
前記受付手段が、前記設定手段により設定された使用割合で前記２つのルックアップテーブルを合成して新たなルックアップテーブルを生成して該新たなルックアップテーブルを用いた調色指示を前記グレースケール画像の調色指示として受け付け、
前記合成手段が、前記２つのルックアップテーブルを前記使用割合に応じた重み付けを行って合成することにより新たなルックアップテーブルを生成する
ことを特徴とする請求項６又は７に記載の画像処理装置。
【請求項９】
前記使用割合に対応させたスライドバーを有するＧＵＩ画面をユーザに提示する提示手段をさらに備え、
前記受付手段が、前記ユーザによって設定された前記ＧＵＩ画面上のスライドバーの位置に対応した使用割合に基づいて合成されるルックアップテーブルを用いた調色指示を受け付ける
ことを特徴とする請求項８に記載の画像処理装置。
【請求項１０】
グレースケール画像を記録媒体に記録する記録装置に対して、グレースケール画像を調色して出力する画像処理方法であって、
グレースケール画像を入力する入力工程と、
前記グレースケール画像に対するユーザの調色指示を受け付ける受付工程と、
前記調色指示に基づいて、前記グレースケール画像の調色処理に使用する複数のルックアップテーブルを保持するテーブル保持手段から一のルックアップテーブルを選択する選択工程と、
前記選択工程により選択された一のルックアップテーブルを参照して、前記グレースケール画像を調色する調色工程と、
前記調色工程により調色されたグレースケール画像を出力する出力工程と
を有することを特徴とする画像処理方法。
【請求項１１】
グレースケール画像を記録媒体に記録する記録装置に対して、グレースケール画像を調色して出力する画像処理方法であって、
グレースケール画像を入力する入力工程と、
前記グレースケール画像に対するユーザの調色指示を受け付ける受付工程と、
前記調色指示に基づいて、前記グレースケール画像の調色処理に使用する複数のルックアップテーブルを保持するテーブル保持手段に保持された前記複数のルックアップテーブルを用いて新たなルックアップテーブルを合成する合成工程と、
前記合成工程により合成された新たなルックアップテーブルを参照して、前記入力工程により入力された前記グレースケール画像を調色する調色工程と、
前記調色工程により調色されたグレースケール画像を出力する出力工程と
を有することを特徴とする画像処理方法。
【請求項１２】
請求項１０又は１１に記載の画像処理方法をコンピュータに実行させるためのプログラム。
【請求項１３】
請求項１２に記載のプログラムを格納したことを特徴とするコンピュータ読み取り可能な記録媒体。
【発明の詳細な説明】
【技術分野】
【０００１】
本発明は、グレースケール画像の調色処理を行う画像処理装置及びその方法に関する。
【背景技術】
【０００２】
従来のカラーインクジェット記録装置（例えば、シアン、マゼンタ、イエローの３色或いはこれにブラックの１色を追加した４色、さらには淡シアン、淡マゼンタ、レッド、及びグリーン等の特色インクを使用して印刷を行うような記録装置）においては、グレースケール画像（いわゆるモノクロ画像）を出力する場合、各色を混合してグレースケールを表現する（以下、「コンポジットグレー」と称す。）か、或いはブラックインク１色でグレースケールを表現する（以下、「単色グレー」と称す。）ことが一般的であった（例えば、特許文献１参照）。
【０００３】
しかし、コンポジットグレーや単色グレーでグレースケール画像を出力する場合には、以下に示すような問題があることが指摘されている。
【０００４】
まず、コンポジットグレーの場合には、インクの組み合わせにより、赤みを帯びたグレースケール（いわゆる温黒調）や、青みを帯びたグレースケール（いわゆる冷黒調）を設計することが可能である。しかしながら、この場合、階調によってはグレーが赤みを帯びたり、青みを帯びたりする、いわゆる「色の転び」が問題になることがある。
【０００５】
一般に、グレースケールのダーク部分については、黒インク１色で表現したり、主に黒インクを使って色調を整えるためにのみ他色を混ぜている。これに対して、グレースケールのハイライト部分については、黒インクを使用すると粒状性が犠牲になることが多いため、黒以外の複数のインクを組み合わせてグレーを表現している。従って、上記色の転びの原因として、全てのグレースケール階調において同じ色相のグレーを再現することが設計上困難であることに起因している。
【０００６】
また、コンポジットグレーの場合は、ヘッドの個体差によるインク吐出量のばらつきによりグレーバランスが崩れやすいという欠点もある。
【０００７】
一方、単色グレーの場合は、１色しかインクを使わないために色の転びは問題にはならないが、ブラックインクそのものの色でしかグレースケールが表現できないという制限がある。そのため、温黒調や冷黒調のグレースケールを表現するためには、ブラックインクそのものを調色しなければならないという問題が新たに生じる。
【０００８】
そこで、最近では、コンポジットグレーと単色グレーの長所を取り入れて、基本的には単色グレーであるが、調色のためにカラーインクを使う方法（以下、「単色グレースケール」と称す。）が提案されている。
【０００９】
すなわち、ハイライト部分の粒状性に関してはインクの液滴を小さくして粒状性を改善する、或いは液滴のサイズはそのままにして粒状性は犠牲にすることにより、ハイライト部分からブラックインクを積極的に使用して調色が行われる。
【００１０】
図２は、従来の単色クレースケールによる方法よるグレースケール画像の出力処理を説明するための図である。図２において、矢印２１はグレースケール画像が入力されることを表しており、矢印２２は１次元ルックアップテーブル２０を参照することにより入力グレースケール画像が調色された出力グレースケール画像が出力されることを表している。例えば、１画素あたり８ビットのグレースケール画像が入力されると、２５６のインデックスを持つ１次元ＬＵＴ（ルックアップテーブル）２０が参照され、入力されたグレースケール画像の各画素の画素値に相当するインデックスに対応してあらかじめ用意されている各インク色に対応したインデックス値が出力グレースケール画像の画素値として出力される。
【００１１】
図３は、図２における１次元ＬＵＴ２０の一例を説明するための図である。図３において、左端の１列が入力値に対応した０〜２５５のインデックス値である。そして、インデックスの各値に対応して、次列から右に向かって順にシアン、マゼンタ、イエロー、ブラックの各色インクの出力値が格納されている。
【００１２】
上述したような方法によれば、入力グレースケール画像に対して、あらかじめ用意されたコンポジットグレーにより表現される１次元ＬＵＴを参照することにより調色された単色グレースケール画像を出力することが可能となっている。
【００１３】
尚、図３に示すような例においては、１画素あたり８ビットのグレースケール画像を想定しているが、８ビット以上のビット数を持つグレースケール画像についても同様に調色が可能である。例えば、ＲＧＢ各８ビットのカラー画像であっても適当な比率（例えば、入力カラー画像がＮＴＳＣ色空間を表現するＲＧＢ信号であれば、０．２９５：０．６３４：０．０７１）で重み付けして平均を求めることにより、小数点以下の精度を持つことができる。このような場合には、単純に１次元ＬＵＴのインデックス数を入力画像のビット数に見合った大きさにすればよく、８ビット以上のグレースケール画像であっても上記方法により同様に調色された単色グレースケール画像を出力することが可能である。
【特許文献１】特開２０００−２３８２９９号公報
【発明の開示】
【発明が解決しようとする課題】
【００１４】
しかしながら、上述した従来の１次元ＬＵＴを用いてグレースケールの画像を調色する方法は、１つの１次元ＬＵＴを備えた装置において適用できるものであった。そのため、温黒調や冷黒調といった複数のグレースケールのパターンが考えられるものの、従来の装置において実現可能なグレースケールパターンは、１つの装置に対して１つのパターンだけに限られるという制限があった。また、装置には１つの１次元ＬＵＴしか保持されていないために、ユーザによる色調の微調整等は困難であった。
【００１５】
また、本願出願人は、本願出願時において、グレースケール画像を入力して複数の１次元ＬＵＴを用いて調色を行ってグレースケール画像を出力するような公知例を発見していない。
【００１６】
本発明は、このような事情を考慮してなされたものであり、複数の１次元ＬＵＴからユーザの指示に応じた１次元ＬＵＴを参照して温黒調や冷黒調等のグレースケール画像の表現を好適に行うことができる画像処理装置及びその方法を提供することを目的とする。
【課題を解決するための手段】
【００１７】
上記課題を解決するために、本発明は、グレースケール画像を記録媒体に記録する記録装置に対して、グレースケール画像を調色して出力する画像処理装置であって、
グレースケール画像を入力する入力手段と、
前記グレースケール画像の調色処理に使用する複数のルックアップテーブルを保持するテーブル保持手段と、
前記グレースケール画像に対するユーザの調色指示を受け付ける受付手段と、
前記調色指示に基づいて、前記テーブル保持手段から一のルックアップテーブルを選択する選択手段と、
前記選択手段により選択された一のルックアップテーブルを参照して、前記入力手段により入力された前記グレースケール画像を調色する調色手段と、
前記調色手段により調色されたグレースケール画像を出力する出力手段と
を備えることを特徴とする。
【００１８】
また、本発明は、グレースケール画像を記録媒体に記録する記録装置に対して、グレースケール画像を調色して出力する画像処理装置であって、
グレースケール画像を入力する入力手段と、
前記グレースケール画像の調色処理に使用する複数のルックアップテーブルを保持するテーブル保持手段と、
前記グレースケール画像に対するユーザの調色指示を受け付ける受付手段と、  前記調色指示に基づいて、前記テーブル保持手段に保持された前記複数のルックアップテーブルを用いて新たなルックアップテーブルを合成する合成手段と、
前記合成手段により合成された新たなルックアップテーブルを参照して、前記入力手段により入力された前記グレースケール画像を調色する調色手段と、
前記調色手段により調色されたグレースケール画像を出力する出力手段と
を備えることを特徴とする。
【００１９】
さらに、本発明は、グレースケール画像を記録媒体に記録する記録装置に対して、グレースケール画像を調色して出力する画像処理方法であって、
グレースケール画像を入力する入力工程と、
前記グレースケール画像に対するユーザの調色指示を受け付ける受付工程と、
前記調色指示に基づいて、前記グレースケール画像の調色処理に使用する複数のルックアップテーブルを保持するテーブル保持手段から一のルックアップテーブルを選択する選択工程と、
前記選択工程により選択された一のルックアップテーブルを参照して、前記グレースケール画像を調色する調色工程と、
前記調色工程により調色されたグレースケール画像を出力する出力工程と
を有することを特徴とする。
【００２０】
さらにまた、本発明は、グレースケール画像を記録媒体に記録する記録装置に対して、グレースケール画像を調色して出力する画像処理方法であって、
グレースケール画像を入力する入力工程と、
前記グレースケール画像に対するユーザの調色指示を受け付ける受付工程と、
前記調色指示に基づいて、前記グレースケール画像の調色処理に使用する複数のルックアップテーブルを保持するテーブル保持手段に保持された前記複数のルックアップテーブルを用いて新たなルックアップテーブルを合成する合成工程と、
前記合成工程により合成された新たなルックアップテーブルを参照して、前記入力工程により入力された前記グレースケール画像を調色する調色工程と、
前記調色工程により調色されたグレースケール画像を出力する出力工程と
を有することを特徴とする。
【発明の効果】
【００２１】
本発明によれば、複数の１次元ＬＵＴからユーザの指示に応じた１次元ＬＵＴを参照して温黒調や冷黒調等のグレースケール画像の表現を好適に行うことができる。
【発明を実施するための最良の形態】
【００２２】
以下、図面を参照して、本発明の一実施形態に係るグレースケール画像を調色する画像処理装置及び調色されたグレーススケール画像を記録する記録装置を備えるグレースケール画像記録システムの詳細について説明する。
【００２３】
＜第１の実施形態＞
図１は、本発明の第１の実施形態に係るグレースケール画像記録システムのハードウェア構成を示すブロック図である。図１に示すグレースケール画像記録システムにおいて、１０はパーソナルコンピュータ等の画像処理装置、１１はカラーインクジェットプリンタ等で実現される記録装置である。
【００２４】
１は画像処理想定におけるＣＰＵ、２は画像処理装置１０を起動させるためのプログラム等を格納するＲＯＭ、３は各種プログラムのワークエリアとして用いるＲＡＭである。また、４はハードディスク等で構成される外部記憶装置であり、本実施形態における複数の１次元ＬＵＴ、画像処理プログラム、及び処理すべき画像データ等を格納する。
【００２５】
また、５はキーボード及びマウス等の入力デバイスをコントロールするための入力デバイスコントローラ、９はディスプレイ、６はディスプレイ９をコントロールするためのディスプレイコントローラ、７は画像処理装置１０と記録装置１１との間でコマンド及び各種データの受け渡しを行うインタフェースを示している。
【００２６】
図４は、グレースケール画像の調色処理を行う画像処理装置１０の細部構成を示すブロック図である。尚、図４に示される構成は、図１における外部記憶装置４に格納されている画像処理プログラムを用いてソフトウェア的に構成することが可能である。また、図８は、本発明の第１の実施形態に係る画像処理装置の動作手順を説明するためのフローチャートである。
【００２７】
図４において、１次元ＬＵＴ４０、４１、４２は、それぞれ異なった色調のグレースケールが表現できるようなテーブルで構成されており、本実施形態においては順に、標準（ノーマル）グレー、温黒調グレー、冷黒調グレー用の１次元ＬＵＴテーブルである。
【００２８】
また、４３はグレースケール色調設定部であり、画像処理装置１０のディスプレイ９上に図５に示すようなダイアログを表示（提示）して（ステップＳ１１）、ユーザに対して好みの色調のグレースケールを選択させるようにする。すなわち、図５は、本発明の第１の実施形態に係る画像処理装置１０のディスプレイ９上に表示されるグレースケール印刷のための色調を設定するためのダイアログの一例を示す図である。図５に示すように、本実施形態では、画像処理装置１０に保持されている複数のルックアップテーブルのそれぞれに対応したラジオボタンをダイアログを用いてユーザに提示するとともに、当該ユーザから一のラジオボタンの設定を受け付けることによって（ステップＳ１２）、設定されたラジオボタンに対応するルックアップテーブルを選択する。
【００２９】
さらに、４４は１次元ＬＵＴ選択部であり、グレースケール色調設定部４３により設定された色調に対応した１次元ＬＵＴを１次元ＬＵＴ４０〜４２の中から選択する（ステップＳ１３）。また、４５は１次元ＬＵＴ選択部４４により選択された１次元ＬＵＴを格納しておくワークメモリ部である。そして、ワークメモリ部４５に格納された選択１次元ＬＵＴを参照して、図２を用いて前述した従来の処理と同様に入力グレースケール画像に対して調色処理を行って（ステップＳ１４）、インデックスに対応してあらかじめ用意されている各インク色に対応したデータを出力することで、出力グレースケール画像を得る。
【００３０】
そして、画像処理装置１０において上述した処理によって得られた、調色された単色グレースケール画像（出力グレースケール画像）は、さらにハーフトーニング処理等が施されて記録装置１１に出力（転送）され（ステップＳ１５）、紙等の記録媒体上に記録が行われることとなる。尚、本実施形態では、選択可能な１次元ＬＵＴとして３つのＬＵＴを用いているが、種類や数についてはこれだけに限られるものではない。
【００３１】
＜第２の実施形態＞
次に、本発明の第２の実施形態に係るグレースケール画像記録システムについて説明するが、本実施形態に係るグレースケール画像記録システムのハードウェア構成は図１に示すブロック図と同一である。但し、外部記録装置４に格納されている画像処理プログラムが第１の実施形態と異なっている。
【００３２】
図６は、本発明の第２の実施形態に係る記録装置システムにおいてグレースケール画像の調色処理を行う画像処理装置の細部構成を示すブロック図である。尚、図６に示される構成は、図１における外部記憶装置４に格納されている画像処理プログラムを用いてソフトウェア的に構成することが可能である。また、図９は、本発明の第２の実施形態に係る画像処理装置の動作手順を説明するためのフローチャートである。
【００３３】
図６において、１次元ＬＵＴ４０、４１、４２は、第１の実施形態と同様に、それぞれ異なった色調のグレースケールが表現できるようなテーブルで構成されており、本実施形態においては順に、標準（ノーマル）グレー、温黒調グレー、冷黒調グレー用の１次元ＬＵＴテーブルである。
【００３４】
また、６１はグレースケール色調設定部であり、画像処理装置１０のディスプレイ９上に図７に示すようなダイアログを表示（提示）して（ステップＳ２１）、ユーザに対して好みの色調のグレースケールを選択させるようにする。すなわち、図７は、本発明の第２の実施形態に係る画像処理装置１０のディスプレイ９上に表示されるグレースケール印刷のための色調をスライドバーを用いて設定するためのダイアログの一例を示す図である。すなわち、ユーザは表示されたダイアログ上のスライドバーを用いて合成すべき１次元ＬＵＴの合成割合を設定する（ステップＳ２２）。
【００３５】
また、６２は１次元ＬＵＴ合成部である。そして、１次元ＬＵＴ合成部６２は、グレースケール色調設定部６１により設定された色調に基づいて１次元ＬＵＴ４０〜４２を用いて新たな１次元ＬＵＴを合成することにより生成する（ステップＳ２３）。また、４５は１次元ＬＵＴ合成部１７により合成された新たな１次元ＬＵＴを格納しておくワークメモリ部である。そして、ワークメモリ部４５に格納された選択１次元ＬＵＴを参照して、図２を用いて前述した従来の処理と同様に入力グレースケール画像に対して調色処理を行って（ステップＳ２４）、インデックスに対応してあらかじめ用意されている各インク色に対応したデータを出力することで、出力グレースケール画像を得る。
【００３６】
例えば、本実施形態におけるグレースケール色調設定部６１は、スライドバーにより温黒調から冷黒調までの間を多段階に設定可能としている。その一例として、ノーマルの位置を０とし、温黒調方向に１００刻み、冷黒調方向に１００刻みでユーザに任意の位置を指定させてグレースケール色調を行わせる。すなわち、１次元ＬＵＴ合成部６２では、グレースケール色調設定部６１によって設定された設定値に応じて２つの１次元ＬＵＴを選択し、スライドバーの位置に応じて当該２つの１次元ＬＵＴを合成するようにする。
【００３７】
例えば、スライドバーが温黒調寄りの３０の位置であれば、標準及び温黒調用の１次元ＬＵＴ４０、４１を選択し、各々のＬＵＴに格納されている出力値を７：３の割合で重みを付けて合成し、新たな１次元ＬＵＴを作成するようにする。
【００３８】
そして、画像処理装置１０において上述した処理によって得られた、調色された単色グレースケール画像（出力グレースケール画像）は、第１の実施形態と同様にハーフトーニング処理等が施されて記録装置１１に出力（転送）され（ステップＳ２５）、紙等の記録媒体上に記録が行われることとなる。尚、本実施形態では、合成可能な１次元ＬＵＴとして２つのＬＵＴを用いているが、合成される種類や数についてはこれだけに限られるものではない。例えば、３つ以上のＬＵＴを合成して１つのＬＵＴを生成してもよい。
【００３９】
＜その他の実施形態＞
第１及び第２の実施形態で説明したように、本発明に係る画像処理装置は、専らグレースケール画像を出力するインクジェット記録装置に利用可能であるが、インクジェット記録装置のみならずカラーインク、カラートナー等を使用してグレースケール印刷を行う記録装置であればレーザビームプリンタ（ＬＢＰ）等その他のどのような記録装置であっても同様にしてグレースケール調色処理を行って記録させることが可能である。
【００４０】
以上、実施形態例を詳述したが、本発明は、例えば、システム、装置、方法、プログラム若しくは記憶媒体等としての実施態様をとることが可能であり、具体的には、複数の機器から構成されるシステムに適用しても良いし、また、一つの機器からなる装置に適用しても良い。
【００４１】
尚、本発明は、前述した実施形態の機能を実現するソフトウェアのプログラム（実施形態では図に示すフローチャートに対応したプログラム）を、システムあるいは装置に直接あるいは遠隔から供給し、そのシステムあるいは装置のコンピュータが該供給されたプログラムコードを読み出して実行することによっても達成される場合を含む。
【００４２】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【００４３】
その場合、プログラムの機能を有していれば、オブジェクトコード、インタプリタにより実行されるプログラム、ＯＳに供給するスクリプトデータ等の形態であっても良い。
【００４４】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００４５】
その他、プログラムの供給方法としては、クライアントコンピュータのブラウザを用いてインターネットのホームページに接続し、該ホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００４６】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００４７】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行い、その処理によっても前述した実施形態の機能が実現され得る。
【００４８】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００４９】
【図１】本発明の第１の実施形態に係るグレースケール画像記録システムのハードウェア構成を示すブロック図である。
【図２】従来の単色クレースケールによる方法よるグレースケール画像の出力処理を説明するための図である。
【図３】図２における１次元ＬＵＴ２０の一例を説明するための図である。
【図４】グレースケール画像の調色処理を行う画像処理装置１０の細部構成を示すブロック図である。
【図５】本発明の第１の実施形態に係る画像処理装置１０のディスプレイ９上に表示されるグレースケール印刷のための色調を設定するためのダイアログの一例を示す図である。
【図６】本発明の第２の実施形態に係る記録装置システムにおいてグレースケール画像の調色処理を行う画像処理装置の細部構成を示すブロック図である。
【図７】本発明の第２の実施形態に係る画像処理装置１０のディスプレイ９上に表示されるグレースケール印刷のための色調をスライドバーを用いて設定するためのダイアログの一例を示す図である。
【図８】本発明の第１の実施形態に係る画像処理装置の動作手順を説明するためのフローチャートである。
【図９】本発明の第２の実施形態に係る画像処理装置の動作手順を説明するためのフローチャートである。
【符号の説明】
【００５０】
１  ＣＰＵ
２  ＲＯＭ
３  ＲＡＭ
４  外部記憶装置
５  入力デバイスコントローラ
６  ディスプレイコントローラ
７  インタフェース
８  バス
９  ディスプレイ
１０  画像処理装置
１１  記録装置
４０、４１、４２  １次元ＬＵＴ
４３、６１  グレースケール色調設定部
４４  １次元ＬＵＴ選択部
４５、６２  ワークメモリ部
【図１】
2005286625.tif 000003
【図２】
2005286625.tif 000004
【図３】
2005286625.tif 000005
【図４】
2005286625.tif 000006
【図５】
2005286625.tif 000007
【図６】
2005286625.tif 000008
【図７】
2005286625.tif 000009
【図８】
2005286625.tif 000010
【図９】
2005286625.tif 000011